(57)【要約】【課題】本発明は、ロープにかかるテンションの強弱に関わらず、ロープを適切に移動することのできるエンドレス方式のウインチ、及び該エンドレス方式のウインチを用いたロープの移動システムを提供することを課題とする。【解決手段】駆動軸により回転駆動する駆動軸と、該駆動軸の設けられたウインチ本体と、前記駆動軸に取り付けられ、外周縁に沿って形成された溝にロープを巻回する巻回ドラムから構成されたエンドレス方式のウインチにおいて、少なくとも巻回ドラムの溝にロープを取り入れ移動する側の巻回ドラム部分には、駆動軸を支点として溝側にロープを押圧する押圧体が回転自在に設けられていることである。【選択図】図１
2014034471.tif 000002
【特許請求の範囲】
【請求項１】
駆動源により回転駆動する駆動軸と、該駆動軸の設けられたウインチ本体と、前記駆動軸に取り付けられ、外周縁に沿って形成された溝にロープを巻回する巻回ドラムから構成されたエンドレス方式のウインチにおいて、少なくとも巻回ドラムの溝にロープを取り入れ移動する側の巻回ドラム部分には、駆動軸を支点として溝側にロープを押圧する押圧体が回動自在に設けられていることを特徴とするエンドレス方式のウインチ。
【請求項２】
駆動源によりウインチ本体に設けられた駆動軸を回転駆動して巻回ドラムを回転し、巻回ドラムの一方側よりロープを溝に取り入れ溝に沿って巻回するとともに巻回ドラムの他方側よりロープを取り出し移動するエンドレス方式のウインチを用いたロープの移動システムにおいて、前記巻回ドラムの溝にロープを取り入れる側では、取り入れるロープにかかるテンションに応じてロープを押圧しながら所望量溝に沿って移動するとともに、溝よりロープを取り出し側では、取り出すロープにかかるテンションに応じてロープを押圧しながら所望量溝に沿って移動することを特徴とするエンドレス方式のウインチを用いたロープの移動システム。
【発明の詳細な説明】
【技術分野】
【０００１】本発明は、主に防球用又は間仕切り用として使用するネット、空間部に設けられたテント用のシートに連結したロープを移動するのに用いるエンドレス方式のウインチに関するものである。
【技術の背景】
【０００２】従来、ゴルフ練習場等の屋外空間部の外周に沿って吊り張りされている防球用ネットは、設置面積が大きく、台風等の強風の影響を直接受けるとネットの破損及び支柱の倒壊を起こすために、強風の前に防球用ネットを下方に移動してネットの吊り張りを解除する必要がある。
【０００３】そして、上記防球用ネットを昇降移動するための装置は、空間部の外周に沿って立設した支柱の上下方向に沿ってエンドレス状に掛け渡した駆動用ロープと、該駆動用ロープを駆動するために支柱の下方側に取り付けられたエンドレス方式のウインチと、前記駆動用ロープに並行に掛け渡したガイド用ロープと、該ガイド用ロープにリング体を介して挿通し、上端側を駆動用ロープに連結した防球用ネットから構成され、前記エンドレス方式のウインチを駆動し駆動用ロープを支柱の上下方向に沿って移動することで、防球用ネットをガイド用ロープに沿って昇降移動する。
【０００４】また、屋内空間部に吊り張りする防球用ネットは、屋内空間部の使用目的に応じて空間部の外周、又は間仕切り用として防球用ネットを吊り張りしているが、屋内空間部の使用を変更する場合は、上記防球用ネットの一部又は全てを収納する必要がある。
【０００５】そして、上記防球用ネットを移動するための装置は、天井側に滑車を介してエンドレス状に掛け渡し、エンドレス方式のウインチで駆動する駆動用ロープと、該駆動用ロープに連結した複数の吊下用ロープと、該吊下用ロープを挿通するリング体が設けられ、下端側で錘を介して連結した防球用ネットから構成され、前記エンドレス方式のウインチを駆動して駆動用ロープを移動し、各吊下用ロープを昇降移動することで防球用ネットを空間部に吊り張り及び収納する必要がある。
【０００６】テント用のシート場合も同様に、テントの吊り張り方向に沿って駆動用ロープをエンドレス状に吊り張りし、該ロープにシートの先端側を連結し、該駆動用ロープを駆動するエンドレス方式のウインチから構成され、該エンドレス方式のウインチを駆動して駆動用ロープを移動することでテント用の複数枚のシートを移動してテントを吊り張りする。
【０００７】上記各装置に使用するエンドレス方式のウインチの基本構成は、モータ等の駆動源と、該駆動源により回転駆動する駆動軸を軸支したウインチ本体から構成され、該ウインチ本体の駆動軸には、外周に略Ｖ字状の溝の形成された巻回ドラムが取り付けられ、該巻回ドラムの近傍には、２個の案内シーブがウインチ本体に回転自在に軸支している。
【０００８】駆動用ロープは、一方の案内シーブを介して巻回ドラムの溝側に取り入れられ、該巻回ドラムの回転駆動に沿って溝に沿って巻回移動した後、他方の案内シーブを介して溝より取り出されるように移動する。
【発明が解決しようとする課題】
【０００９】しかしながら、上記エンドレス方式のウインチによる駆動用ロープの移動は、該駆動用ロープにかかるネットの荷重及び風による影響により巻回ドラムの溝への取り入れ側と巻回ドラムの溝よりの取り出し側とで駆動用ロープにかかるテンションが相違し、巻回ドラムの溝への取り出し側又は溝よりの取り出し側で駆動用ロープの弛み、撓み又は捩れが発生し、スムーズな駆動用ロープの移動ができない。
【００１０】これを解消する手段として、巻回ドラムの溝に沿って移動すべく両端側に弾性体の取り付けられた移動用ローラを設け、溝に駆動用ローラでロープを押圧しながら移動する構成が考えられたが、移動用ローラは巻回ドラムに回転方向に沿って移動するために、構成が煩雑で頻繁なメンテナンスを必要とする欠点があった。
【００１１】また、巻回ドラムの溝への取り込み側を弾性体で押圧して、ロープの取り入れることも考えられたが、溝側への押圧のみではロープの磨耗が激しき頻繁なロープの交換等のメンテナンスを必要とする欠点があった。
【００１２】そこで、本発明は、上記欠点を解消し、駆動用ロープを巻回ドラムの溝に適切に取り入れ、及び溝より適切に取り出し移動することのできるエンドレス方式のウインチ及びエンドレス方式のウインチを用いたロープの移動システムを提供することを課題とする。
【課題を解決するための手段】
【００１３】上記課題を解決するエンドレス方式のウインチは、請求項１に記載のように、駆動源により回転駆動する駆動軸と、該駆動軸の設けられたウインチ本体と、前記駆動軸に取り付けられ外周縁に沿って形成された溝にロープを巻回する巻回ドラムから構成された溝にロープを巻回する巻回ドラムから構成されたエンドレス方式のウインチにおいて、少なくとも巻回ドラムの溝にロープを取り入れ移動する側の巻回ドラム部分には、駆動軸を支点として溝側にロープを押圧する押圧体が回動自在に設けられていることを特徴とする。
【００１４】上記課題を解決するエンドレス方式のウインチを用いたロープの移動システムは、請求項２に記載のように、駆動源によりウインチ本体に設けた駆動軸を回転駆動して巻回ドラムを回転し、巻回ドラムの一方側よりロープを溝に取り入れ溝に沿って巻回するとともに巻回ドラムの他方側よりロープを取り出し移動するエンドレス方式のウインチを用いたロープの移動システムにおいて、前記巻回ドラムの溝にロープを取り入れる側では、取り入れるロープにかかるテンションに応じてロープを押圧しながら所望量溝に沿って移動するとともに、取り出すロープにかかるテンションに応じてロープを取り出し側で溝側にロープを押圧しながら所望量溝に沿って移動することを特徴とする。
【発明の作用効果】
【００１５】本発明のエンドレス方式のウインチ、及び該エンドレス方式のウインチを用いたロープの移動システムの作用効果を説明する。
【００１６】先ず、駆動軸を回転駆動してロープをウインチ本体に設けられた巻回ドラムを回転しながら、ロープを巻回ドラムの一方側より溝に取り入れ移動し、該巻回ドラムの溝に沿って巻回した後、巻回ドラムの他方側で溝より取り出し移動する。
【００１７】この際、前記巻回ドラムには駆動軸を支点として溝側にロープを押圧する押圧体が駆動軸に回動自在に設けられているために、巻回ドラムの溝に取り入れる適切な位置でロープを溝側に押圧しながら、該押圧体をロープにかかるテンションの大きさに応じて所望量回動して取り入れられるために、該ロープに弛み等が発生しても押圧体でロープを順次押圧しながら移動して弛み等を解消しながらロープを取り入れすることができる。
【００１８】また、押圧体は、駆動軸を支点として設けられているために、巻回ドラムの回転駆動の方向が変更しても、押圧体を一方側から他方側に駆動軸を支点として回動移動し他方側でロープを溝側に押圧して取り入れすることができる。
【００１９】このように、本発明のエンドレス方式のウインチは、押圧体でロープを適切に押圧して溝に取りいれ移動することができる。
【００２０】次に、エンドレス方式のウインチを用いたロープの移動システムは、駆動源で駆動軸を回転駆動し該駆動軸に設けられた巻回ドラムを回転し、ロープを巻回ドラムの一方より溝に取り入れ該溝に沿ってロープを巻回した後、巻回ドラムの他方側よりロープを溝より取り出し移動する。
【００２１】この際、ロープの溝への取り入れ側では、取り入れるロープのテンションの大小に応じてロープを溝側に押圧しながら所望量溝に沿って移動するとともに、ロープの溝よりの取り出し側では、取り出すロープのテンションの大小に応じてロープを溝側に押圧しながら所望量溝に沿って移動することで、ロープを移動する。
【００２２】このように、ロープの溝への取り入れ側及び溝よりの取り出し側を溝に沿って所望量押圧しながら移動するために、ロープにかかるテンションの相違、変更によるロープの弛み等を確実に解消して移動することができる。
【００２３】このように、本発明のエンドレス方式のウインチを用いたロープの移動システムは、ロープの溝への取り入れ側及び取り出し側それぞれでロープの弛み等を解消しながらスムーズに移動することができ、ロープの磨耗が少なく頻繁なメンテナンスを必要としない。
【発明を実施するための最良の形態】
【００２４】以下、本発明のエンドレス方式のウインチ、及び該エンドレス方式のウインチを用いたロープの移動システムの実施例について図面を用いて説明する。【００２５】図１はエンドレス方式のウインチの第１実施例を示す概略説明平面図であり、図２は図１のエンドレス方式のウインチを用いたロープの取り入れ移動を示す概略説明平面図であり、図３は図１のエンドレス方式のウインチを用いたロープの取り出し移動を示す概略説明平面図であり、図４は本発明のエンドレス方式のウインチを用いたロープの移動システムのフローチャートを示す。【００２６】本発明のエンドレス方式のウインチ１は、モータ等の駆動源（図示せず）と、該駆動源により回転駆動する駆動軸２の設けられたウインチ本体３から構成され、前記駆動軸２には略円盤状で、外周縁に沿って略Ｖ字状の溝４の形成された巻回ドラム５取り付けられ、該巻回ドラム５の近傍には２個の案内シーブ６（６Ａ，６Ｂ）がウインチ本体３に回転自在に軸支している。【００２７】前記駆動軸２にはベアリング等でフリーの状態で一端側が取り付けられた棒状の支持体７と、該支持体７の他端側の取り付けられた円形状の押圧体８が設けられ、前記支持体７にはバネ等で構成された弾性体９が設けられ、押圧体８を軸方向に付勢する押圧手段が設けられている。【００２８】前記弾性体９を調整することで、押圧体８と溝４との距離を微調整し溝４側へのロープ２０の押圧力を調整する。【００２９】これにより、押圧体８でロープ２０を溝４側に押圧するとともに支持体７が支点を中心に所望量回動移動する。【００３０】また、前記押圧体８を巻回ドラム５の溝４への取り入れ側及び溝４への取り出し側に設けるべく支持体８を２本駆動軸２に取り付け、ロープ２０の溝４への取り入れ側及び溝４への取り出し側を押圧しながら溝に沿って所望量移動してスムーズにロープ２０を移動すべく構成することも可能である。【００３１】また、押圧手段の構成は上記の構成に限定されるものでなく、例えば、押圧体８と支持体７との連結部分に弾性体９を設ける構成でもよく、また、支持体７を回動しないように構成することも可能である。【００３２】本発明のエンドレス方式のウインチ１は上記のように構成され、次に該エンドレス方式のウインチ１を用いたロープ２０の移動システムについて、説明する。【００３３】先ず、駆動源を駆動しウインチ本体３の駆動軸２を回転駆動し、巻回ドラム５を回転した状態で一方の案内シーブ６Ａよりロープ２０をウインチ本体３に取り入れ一方の巻回ドラム５の溝４側へ移動した後、該溝４に沿ってロープ２０を巻回する。【００３４】その後、他方の巻回ドラム５の溝４側よりロープ２０を取り出し他方の案内シーブ６Ｂを介してウインチ本体３よりロープ２０を取り出し移動する。【００３５】この際、巻回ドラム５の溝４にロープ２０を取り入れる側では、押圧体８でロープ２０を溝４側に押圧するとともに支持体８の駆動軸２を支点とする所望量の回動により適切にロープ２０を溝４側に送りいれ、また、巻回ドラム５の溝４よりロープ２０を取り出す側では、押圧体８でロープ２０を溝４側に押圧するとともに支持体８の駆動軸２を支点とする所望量の回動により適切にロープ２０を溝４より取り出し移動する。【００３６】このため、ロープ２０の溝４への取り入れ側及び溝４よりのロープ２０の取り出し側において、ロープ２０に弛み等が発生しても確実に解消しながらロープ２０を移動することができ、スムーズな移動を可能とする。【００３７】このように、本発明のエンドレス方式のウインチ１及びエンドレス方式のウインチ１を用いたロープ２０の移動システムは、ロープ２０にかかるテンションの相違によるロープ２０の弛み等を解消しながらスムーズに移動することができ、頻繁なメンテナンスを必要としない。
【図面の簡単な説明】
【００３８】
【図１】本発明のエンドレス方式のウインチの実施例を示す概略説明平面図
【図２】図１のエンドレス方式のウインチのロープ取り入れの作用を示す概略説明平面図
【図３】図１のエンドレス方式のウインチのロープ取り出しの作用を示す概略説明平面図
【図４】本発明のエンドレス方式のウインチを用いたロープの移動システムを示すフローチャート
【符号の説明】
【００３９】１−エンドレス方式のウインチ、２−駆動軸、３−ウインチ本体、４−溝、５−巻回ドラム、８−押圧体
【図１】
2014034471.tif 000003
【図２】
2014034471.tif 000004
【図３】
2014034471.tif 000005
【図４】
2014034471.tif 000006